(57)【要約】【課題】入力装置の使い勝手の向上をはかる。【解決手段】第１の所定の操作を検出する検出部１４と、第１の所定の操作を検出してから所定の時間内に第１の所定の操作とは異なる第２の所定の操作が検出された場合であっても第２の所定の操作を第１の所定の操作であると認識する制御部１５とを有する入力装置１０を、例えば、ドライバがステアリングハンドルを握った状態でドライバの親指で操作可能なスポーク部に配置する。第１の所定の操作と第２の所定の操作は、例えば、スワイプである。【選択図】図２
2015035136.tif 000002
【特許請求の範囲】
【請求項１】
第１の所定の操作を検出する検出部と、
前記第１の所定の操作を検出してから所定の時間内に前記第１の所定の操作とは異なる第２の所定の操作が検出された場合であっても前記第２の所定の操作を前記第１の所定の操作であると認識する制御部と、
を備えたことを特徴とする入力装置。
【請求項２】
表示部を更に備え、
前記制御部は、
前記第２の所定の操作が検出されたときに前記表示部に表示させる表示形態を、前記第１の所定の操作が検出されたときとは別の表示形態で前記表示部に表示させることを特徴とする請求項１記載の入力装置。
【請求項３】
前記制御部は、
前記第１の所定の操作が検出されたときの第１の時刻と第２の時刻との差に基づき、前記所定の時間を調整することを特徴とする請求項１記載の入力装置。
【請求項４】
前記検出部はタッチセンサを含み、
前記タッチセンサで前記第１の所定の操作と前記第２の所定の操作とを検出することを特徴とする請求項１記載の入力装置。
【請求項５】
前記第１の所定の操作と前記第２の所定の操作はスワイプであり、
前記制御部は、
前記検出部のタッチ面が上下左右に４分割された下部領域から上部領域に向かう第１の方向のスワイプ、前記上部領域から前記下部領域に向かう第２の方向のスワイプ、左部領域から右部領域に向かう第３の方向のスワイプ、前記右部領域から前記左部領域に向かう第４の方向のスワイプのいずれかを認識することを特徴とする請求項１記載の入力装置。
【請求項６】
前記制御部は、
前記検出部で検出される前記第１の所定の操作に対応する前記スワイプの方向と前記第２の所定の操作に対応する前記スワイプの方向とが逆の場合に、前記第２の所定の操作に対応するスワイプを有効とすることを特徴とする請求項５記載の入力装置。
【請求項７】
前記検出部は、
ドライバがステアリングハンドルを握った状態でドライバの親指で操作可能なスポーク部に配置されることを特徴とする請求項５または６記載の入力装置。
【発明の詳細な説明】
【技術分野】
【０００１】
本発明は、例えば、車両に搭載されたナビゲーション装置のリモコンとして用いて好適な入力装置に関する。
【背景技術】
【０００２】
従来、ステアリングスイッチはプッシュ操作を基本とし、指をボタン位置に移動させて押し込む方法が一般的であった。また、最近ではハンドルのスポーク部にタッチセンサを取り付け、センサ面にスワイプ等のジェスチャを行うことで直感的な入力を可能とするタイプのものも出現するに至った。
【０００３】
例えば、特許文献１に、車両のステアリングを把持した状態で多くの情報を入力可能な入力装置に関する技術が開示されている。この技術によれば、ステアリングに配置された複数のタッチパッド（タッチセンサ）から検出されるジェスチャの組み合わせに基づいて入力操作を選択し、選択された操作に基づきカーナビゲーション装置を制御することができる。例えば、タッチセンサに対し、同時かつ同方向にジェスチャを行うことで表示部に表示される画像の拡大、縮小を行う。
【先行技術文献】
【特許文献】
【０００４】
【特許文献１】特開２００９−２９８２８５号公報
【発明の概要】
【発明が解決しようとする課題】
【０００５】
特許文献１に開示された技術によれば、２つのタッチセンサから検出されるジェスチャの組み合わせによって入力操作が選択されるため、車両のステアリングを把持した状態で数多くの種類の情報入力が可能である。しかしながら、操作者であるドライバは、ステアリングハンドルを把持しながら、右手親指により右タッチセンサを、また、左手親指により左手タッチセンサを同時に操作する必要があり、したがって、操作が面倒である。また、アプリケーションによってはタッチセンサではなく押圧スイッチによる入力が有効な場合もあり、したがって使い勝手の良い入力装置の出現がのぞまれていた。
【０００６】
本発明は上記した課題を解決するためになされたものであり、使い勝手の向上をはかった入力装置を提供することを目的とする。
【課題を解決するための手段】
【０００７】
上記した課題を解決するために本発明の入力装置は、第１の所定の操作を検出する検出部と、前記第１の所定の操作を検知してから所定の時間内に前記第１の所定の操作とは異なる第２の所定の操作が検知された場合であっても前記第２の所定の操作を前記第１の所定の操作であると認識する制御部と、を備えたことを特徴とする。
【０００８】
本発明において、表示部を更に備え、前記制御部は、前記第２の所定の操作が検出されたときに前記表示部に表示させる表示形態を、前記第１の所定の操作が検出されたときとは別の表示形態で前記表示部に表示させることを特徴とする。
【０００９】
本発明において、前記制御部は、前記第１の所定の操作が検出されたときの第１の時刻と第２の時刻との差に基づき、前記所定の時間を調整することを特徴とする。
【００１０】
本発明において、前記検出部はタッチセンサを含み、前記タッチセンサで前記第１の所定の操作と前記第２の所定の操作とを検出することを特徴とする。
【００１１】
本発明において、前記第１の所定の操作と前記第２の所定の操作はスワイプであり、前記制御部は、前記検出部のタッチ面が上下左右に４分割された下部領域から上部領域に向かう第１の方向のスワイプ、前記上部領域から前記下部領域に向かう第２の方向のスワイプ、左部領域から右部領域に向かう第３の方向のスワイプ、前記右部領域から前記左部領域に向かう第４の方向のスワイプのいずれかを認識することを特徴とする。
【００１２】
本発明において、前記制御部は、前記検出部で検出される前記第１の所定の操作に対応する前記スワイプの方向と前記第２の所定の操作に対応する前記スワイプの方向とが逆の場合に、前記第２の所定の操作に対応するスワイプを有効とすることを特徴とする。
【００１３】
本発明において、前記検出部は、ドライバがステアリングハンドルを握った状態でドライバの親指で操作可能なスポーク部に配置されることを特徴とする。
【発明の効果】
【００１４】
本発明によれば、使い勝手の向上をはかった入力装置を提供することができる。
【図面の簡単な説明】
【００１５】
【図１】本発明の実施の形態の入力装置が搭載された車両のインパネ周辺の外観を示す図である。
【図２】本発明の実施の形態の入力装置の構造、および入力装置を含むカーナビゲーション装置の電気系の内部構成を示す図である。
【図３】本発明の実施の形態の入力装置の基本動作を示すフローチャートである。
【図４】本発明の実施の形態の入力装置の応用動作を示すフローチャートである。
【図５】本発明の実施の形態の入力装置をメディアプレーヤに適用した場合の動作を示すフローチャートである。
【図６】本発明の実施の形態の入力装置をメディアプレーヤに適用した場合の画面遷移の一例を示す図である。
【図７】図４の方向補正処理の一例を説明するために引用した図である。
【図８】図４の基準時間可変設定処理の一例を説明するために引用した図である。
【発明を実施するための形態】
【００１６】
以下、本発明の実施の形態（以下、単に、本実施形態という）の入力装置について図面を参照しながら詳細に説明する。
【００１７】
（実施形態の構成）
本実施形態の入力装置１０は、例えば、図１に示すように、車両１に搭載されたカーナビゲーション装置４のリモコンとして使用され、ドライバがステアリングハンドル２を握った状態で親指により操作可能なスポーク部３に配置される。
【００１８】
ドライバが入力装置１０を操作することにより指示された内容はカーナビゲーション装置４によって取り込まれ、カーナビゲーション装置４が実行するアプリケーションに応じて生成される表示情報が表示部４０に表示される。ここでいうアプリケーションとは、目的地検索、案内誘導を行うナビゲーションの他に、音楽や動画の再生を行うメディアプレーヤ、メータの表示、ＳＮＳ（Social Networking Service）やメール等である。
【００１９】
図２に入力装置１０の構造、ならびに入力装置を含むカーナビゲーション装置４の電気系の内部構成が示されている。図２（ａ）に入力装置１０の平面形状が示されているように、入力装置１０は、円形状の外観を有する。また、図２（ｂ）に入力装置１０の断面形状を示すように、入力装置１０は、５個の押圧スイッチ１１の上部に、タッチセンサ１２が実装される積層構造になっている。
【００２０】
押圧スイッチ１１は、エンターキー、上下左右の４方向キーに相当する、合計５個の押圧スイッチを有する。一方、タッチセンサ１２は、誘電体層１２２と、報知部としての光源１２３とを、タッチ面である透明電極シート１２１と、同じく透明電極シート１２１と対向する透明電極シート１２４で挟んだ一体構造になっている静電容量センサである。タッチセンサ１２は、タッチ面である透明電極シート１２１にドライバの親指が接触すると、透明電極シート１２１と１２４との間の静電容量が変化してタッチ面（透明電極シート１２１）に対する操作が検出される。
【００２１】
タッチセンサ１２は、図２（ａ）に示すように、タッチ面が、上部領域Ａ、下部領域Ｂ、左部領域Ｃ、右部領域Ｄの４つの認識領域に分割されており、この４分割された認識領域のいずれにドライバの親指がタッチされているかを検出することによってスワイプを含むジェスチャを検出できるようになっている。例えば、タッチ面の上部領域Ａから下部領域Ｂに向かう下方向スワイプ、下部領域Ｂから上部領域Ａに向かう上方向スワイプ、左部領域Ｃから右部領域Ｄに向かう右方向スワイプ、右部領域Ｄから左部領域Ｃへ向かう左方向スワイプのいずれかを検出することができる。なお、ここでいうスワイプとは、タッチ面１２１を親指で触れながら、「なぞる」、「ずらす」、「掃く」、「はじく」、「払う」操作を総称していうものとし、操作方向を有するジェスチャである。
【００２２】
なお、光源１２３は、上下左右に４分割された認識領域毎に実装される、例えば、ＬＥＤ（Light Emitted Diode）であり、電源投入後は常時点灯しているものとする。また、光源１２３は、制御部１５による制御の下、タッチセンサ１２による入力が無効になっている間、押下した押圧スイッチ１１の実装位置に相当するタッチセンサ１２の認識領域以外の領域のイルミネーションを消灯するか、あるいは全領域のイルミネーションの色を変更する。
【００２３】
また、図２（ｃ）に示すように、本実施形態の入力装置１０は、第１の検出部１３と、第２の検出部１４と、制御部１５とを含み構成される。第１の検出部１３は、押圧スイッチ１１のＯＮ／ＯＦＦをスキャンして得られる入力情報を制御部１５へ出力する。第２の検出部１４は、タッチ面をスワイプする操作を含むジェスチャを検出して制御部１５へ出力する。
【００２４】
制御部１５は、例えば、１チップマイコンで構成され、内蔵ＲＯＭに記録されたプログラムを順次読み出し実行することにより、第２の検出部１４（検出部）で第１の所定の操作を検知してから所定の時間内に第１の所定の操作とは異なる第２の所定の操作が検知された場合であっても第２の所定の操作を第１の所定の操作であると認識する。このため、所定の時間を監視するための図示省略したタイマを内蔵する。なお、ここでいう、「第１の所定の操作」とは、例えば、スワイプであり、「第２の所定の操作」とは、例えば、連続スワイプ、あるいは指のストロークが長くかつ早い、強いスワイプであり、「所定の時間」とは、連続スワイプあるいは強いスワイプが検出されたときに方向補正の有無を判定するために必要な、後述する基準時間をいう。
【００２５】
制御部１５は、第２の所定の操作が検出されたときに表示部４０に表示させる表示形態を、第１の所定の操作が検出されたときとは別の表示形態で表示させてもよい。また、制御部１５は、第１の所定の操作が検出されたときの第１の時刻と第２の時刻との差に基づき、所定の時間を調整してもよい。また、制御部１５は、検出部１４で検出される第１の所定の操作に対応するスワイプの方向と第２の所定の操作に対応するスワイプの方向とが逆の場合に、第２の所定の操作に対応するスワイプを有効としてもよい。
【００２６】
主制御部２０は、記憶部３０に格納されたアプリケーションプログラムを実行するため、アドレス、データ、コントロールのためのラインが複数本実装されるシステムバス５０を介して共通接続される、入力装置１０、記憶部３０、表示部４０をコントロールする。ここでいうアプリケーションプログラムは、目的地検索、案内誘導等を行うナビゲーションの他、音楽や動画再生を行うメディアプレーヤ、ＳＮＳ、メール等である。これらアプリケーションプログラムは、例えば、入力装置１０によるスワイプの方向により選択されるものとする。
【００２７】
記憶部３０は、例えば、ＳＲＡＭ（Static RAM），ＤＲＡＭ（Dynamic RAM）、フラッシュＲＡＭ等の半導体メモリ素子が実装され、これらメモリ素子には、主制御部２０が実行するＯＳ（Operating System）やアプリケーションプログラムが格納されるプログラム領域の他に、アプリケーションプログラムの実行過程で生成される各種データが格納される作業領域が割り当てられる。表示部４０は、ＬＣＤ（Liquid Crystal Display）、ＯＬＥＤ（Organic Light Emitted Diode）、電子ペーパ等を表示デバイスとする表示モニタであり、主制御部２０が実行するアプリケーションによって生成される、例えば、図５に示す表示データを表示する。
【００２８】
（実施形態の動作）
以下、図３〜図６を参照しながら、図１，図２に示す本実施形態の入力装置１０の動作について詳細に説明する。
【００２９】
まず、図３のフローチャートを用いて入力装置１０の基本動作から説明する。制御部１５は、第１の検出部１３が押圧スイッチ１１の押下を検出すると（ステップＳ１０１”ＹＥＳ”）、内蔵のタイマをスタートさせて（ステップＳ１０２）、スワイプの有無を検出する（ステップＳ１０３）。ここで、タイマがカウントする基準時間内に第２の検出部１４でスワイプが検出されると（ステップＳ１０３”ＹＥＳ”）、制御部１５は、そのスワイプの検出を無効であると認識する（ステップＳ１０４）。なお、ここでいうスワイプとは、通常のスワイプの他に、指の動きのストロークが比較的長くて早い、強いスワイプも含むものとする。
【００３０】
続いて制御部１５は、タッチセンサ１２に実装された光源１２３を制御して、タッチセンサ１２による入力が無効になっている間、押下した押圧スイッチ１１の実装位置に相当するタッチセンサ１２の認識領域以外の領域のイルミネーションを消灯するか、あるいは全領域のイルミネーションの色を変更する制御を行う（ステップＳ１０６）。
【００３１】
上記した処理は、内蔵タイマがタイムアウトするまで繰り返し実行され、制御部１５は、内蔵タイマのタイムアウトを検出すると（ステップＳ１０７”ＹＥＳ”）、先に無効とされた以降のスワイプの受付を許可する（ステップＳ１０８）。すなわち、制御部１５は、押圧スイッチ１１押下検出後の内蔵タイマのタイムアウト検出までの所定の時間はタッチセンサ１２による入力を無効にする制御を行なう。これは、押圧スイッチ１１の押下中に、指がタッチ面をスライドする行為をジェスチャとして誤認識してしまうことへの処置である。したがって、押圧スイッチ１１操作中のジェスチャを分離することができる。
【００３２】
また、制御部１５は、この状態をドライバに通知するために、タッチセンサ１２による入力が無効になっている間、押下した押圧スイッチ１１以外のイルミネーションを消灯または色を変更する制御を行う。すなわち、本実施形態の入力装置１０は、タッチセンサ１２のタッチ面の内部に上部領域Ａ、下部領域Ｂ、左部領域Ｃ、右部領域Ｄの各部位に実装される光源１２３を有しており、第２の所定の操作（スワイプ）が無効になっている間、第１の所定の操作（押圧スイッチ１１押下）が行われた部位を除く部位に対応する光源１２２による照明を消灯する。したがって、ドライバは、押圧スイッチ１１押下中に指がスイッチ面をスライドする行為があっても誤認識されていないことを確認することができる。
【００３３】
図４に本実施形態の入力装置１０の応用動作が示されている。図４において、押圧スイッチ１１が押下されてからタッチセンサ１２のスワイプを検出するまでは、図３に示す基本動作と同じである（ステップＳ２０１〜Ｓ２０３）。ステップＳ２０４でスワイプ検出直後に押圧スイッチ１１の押下が検出されると（ステップＳ２０４”ＹＥＳ”）、制御部１５は、直前にあったスワイプ操作を有効にする制御を行う（ステップＳ２０９）。すなわち、制御部１５は、第１の検出部１３で第１の所定の操作（押圧スイッチ１１の押下）を検知する前の第２の所定の時間内に、第２の検出部１４で第３の所定の操作（連続スワイプ、あるいは強いスワイプ）を検出すると、第２の所定の操作（スワイプ）を有効にする制御を行う。これは、スワイプが短時間に連続して入力される場合に、各認識領域の境界線上を通る曖昧なスワイプを前回スワイプと同じ方向であると見なす措置であり、これにより、連続操作中の指のブレによるドライバの意図とは異なる出力の生成を防止することができる。
【００３４】
なお、ステップＳ２０４で、スワイプ検出直後に押圧スイッチ１１の押下が検出されなかった場合（ステップＳ２０４“ＮＯ”）、制御部１５は、図３に示す基本動作と同様、先のスワイプを無効であると認識し（ステップＳ２０５）、このタッチセンサ１２による入力が無効になっている間、押下した押圧スイッチ１１の実装位置に相当するタッチセンサ１２の認識領域以外の領域のイルミネーションを消灯するか、あるいは全領域のイルミネーションの色を変更する制御を行う（ステップＳ２０６）。そしてこの処理は、内蔵タイマがタイムアウトするまで繰り返し実行され、制御部１５は、内蔵タイマのタイムアウトを検出すると（ステップＳ２０７”ＹＥＳ”）、先に無効とされた以降のスワイプの受付を許可する（ステップＳ２０８）。
【００３５】
次に、図５のフローチャート、および図６〜図８を用いて、本実施形態の入力装置１０を、例えば、メディアプレーヤ（ここでは音楽再生）を実行するカーナビゲーション装置４のリモコンとして用いた場合の動作について詳細に説明する。
【００３６】
カーナビゲーション装置４の表示部４０には、主制御部２０による制御の下で楽曲再生画面が表示されている（ステップＳ３０１）。この状態で入力装置１０（制御部１５）が押圧スイッチ１１の押下を検出し（ステップＳ３０２”ＹＥＳ”）、その内容がエンターキーであれば（ステップＳ３０３”ＹＥＳ”）、その旨をカーナビゲーション装置４の主制御部２０に転送する。これをうけて主制御部２０は、楽曲再生画面に代わって、例えば、図６（ａ）に示す楽曲リストを表示する（ステップＳ３０９）。
【００３７】
入力装置１０（制御部１５）から転送される入力情報がエンターキーではなく（ステップＳ３０３”ＮＯ”）、上下方向キーであれば（ステップＳ３０４”ＹＥＳ”）、主制御部２０は、表示部４０に表示されている楽曲リストを指示される方向にしたがい上下に１行ずつスクロール表示する（ステップＳ３０８）。また、上下方向キーではなく（ステップＳ３０４”ＮＯ”）、左右方向キーであれば（ステップＳ３０５”ＹＥＳ”）、主制御部２０は、タブの横方向スクロールを行う（ステップＳ３０７）。なお、左右方向キーではなく（ステップＳ３０５”ＮＯ”）、例えば、左右方向キーの長押しにより指示されるバックキーであれば（ステップＳ３０６”ＹＥＳ”）、主制御部２０は、表示部４０に、楽曲リスト画面から元の楽曲再生画面に遷移させる（ステップＳ３０１）。
【００３８】
一方、ステップＳ２０２で、押圧スイッチ１１の押下でなく（ステップＳ３０２”ＮＯ”）、タッチセンサ１２への入力が検出されると（ステップＳ３１０”ＹＥＳ”）、制御部１５は、更にスワイプの有無を判定する（ステップＳ３１１）。ここで、スワイプ↑（図６（ａ））が検出されると（ステップＳ３１１”ＹＥＳ”）、更に、連続スワイプ↑↑（図６（ｂ））または強いスワイプ↑＋（図６（ｂ））の有無を判定する（ステップＳ３１２）。なお、連続スワイプとはスワイプ操作の短時間での連打のことをいい、また、強いスワイプとは、指の動きのストロークが長く早いスワイプをいう。
【００３９】
ここで、連続スワイプでない場合に（ステップＳ３１２”ＮＯ”）、表示モード１の表示形態にしたがう表示を行い、例えば、図６（ａ）に示すように、表示部４０の画面が新規の３曲分の楽曲リストに更新されるページ送りを行う（ステップＳ３１３）。また、強いスワイプまたはスワイプの連打等による連続スワイプであれば（ステップＳ３１２”ＹＥＳ”）、例えば、図６（ｂ）に示す表示モード２の表示形態にしたがう表示が行なわれる。
【００４０】
図６（ｂ）において、表示部４０に楽曲リストが表示されている状態で、入力装置１０（制御部１５）が強いスワイプ↑＋またはスワイプの連打↑↑を検出すると、主制御部２０は、表示モード２にしたがう楽曲リストの頭文字サーチによるページ、具体的には、頭文字である、「た」や「な」毎にリストされた、今まで表示されていた楽曲リストとは異なる楽曲リストを表示部４０に表示する。なお、主制御部２０は、表示部４０に対し表示モード２の頭文字サーチによるページ表示後に、入力装置１０（制御部１５）で再度通常のスワイプ↑が検出されると、サーチする頭文字の切替えが実行される。すなわち、一旦、表示モードが変化すると、通常のスワイプのみでサーチの対象となる頭文字を切替えることができる。
【００４１】
ところで、ドライバは、車両１の運転中、表示部４０の画面を見ることができず、また、指によるスワイプの方向も確認できないため、入力装置１０（制御部１５）は、スワイプが短時間の間に連続して検出されると、同一方向への連続操作を意図しているものと認識する必要がある。このため、入力装置１０（制御部１５）は、一旦スワイプが検出されてから所定時間内に検出されるスワイプは、前回検出されたスワイプと同一方向であると判定する必要がある。このため、本実施形態の入力装置１０では「方向補正処理」を行う（ステップＳ３１６）。
【００４２】
図７に基準時間を固定して方向を補正する方向補正処理の概要が示されている。図７において、操作者であるドライバは、タッチセンサ１２のタッチ面を下領域Ｂから上部領域Ａに向かう上方向にスワイプしたとする。次に、所定時間内に、先にスワイプした方向と境界を接する左方向スワイプまたは認識領域の境界線上をなぞる曖昧なスワイプを行ったとする。このとき、制御部１５は、前回スワイプからの経過時間が基準時間（１）内であるため、同一方向への連続スワイプであるとみなし、左方向スワイプと判定しない。
【００４３】
続いて、入力装置１０（制御部１５）は、所定時間経過後にタッチセンサ１２の上部領域Ａから下部領域Ｂに向かう下方向スワイプを検出したとする。この場合、制御部１５は、前回入力時からの経過時間が基準時間内（２）であるが、逆方向へのスワイプであるため、連続操作とはみなさない。続いて、ドライバは、所定時間経過後、タッチセンサ１２のタッチ面を右部領域Ｄから左部領域Ｃの左方向にスワイプしたとする。この場合、制御部１５は、前回入力時からの経過時間が基準時間（３）内でないため、連続操作とは見なさず左方向へのスワイプであると認識する。ちなみに、このとき、主制御部２０は、入力装置１０（制御部１５）によって転送される入力情報にしたがい、実行するアプリケーションの切替処理を行うものとする。
【００４４】
ところで、タッチセンサ１２に対するスワイプの連打時間（連続操作間隔）はドライバによって異なる。このため、本実施形態の入力装置１０では、制御部１５が、学習によりドライバ毎に最適な基準時間の設定を行う。図８に、基準時間を操作者であるドライバの操作間隔に基づき可変にする学習処理を概念的に示してある。図８に示すように、制御部１５は、ドライバによるスワイプの連続操作間隔を計測し（ａ）、計測により得た時間に、定数を加算するか、あるいは乗算することによって得られた基準時間（ｂ）を設定することができる。すなわち、制御部１５は、第１の所定の操作（スワイプ）が検出されたときの第１の時刻と次に検出されるスワイプの第２の時刻との差に基づき、所定の時間（基準時間）を調整することで、ドライバ毎に最適な基準時間を設定することができる。
【００４５】
説明を図５のフローチャートに戻す。入力装置１０（制御部１５）は、ステップＳ３１２で連続スワイプを検出すると（ステップＳ３１２”ＹＥＳ”）、学習により設定された基準時間を使用し（ステップＳ３１４）、方向補正の有無を判定する（ステップＳ３１５）。そして、方向補正が必要と判定された場合に（ステップＳ３１５”ＹＥＳ”）、図７で説明した方向補正（前回スワイプからの経過時間が基準時間内であるため同一方向への連続スワイプであると認識）を行い主制御部２０へ入力情報として転送する）（ステップＳ３１６）。これを受けて主制御部２０は、表示モード２を実行して頭文字サーチによる楽曲リストを生成して表示部４０に表示する（ステップＳ３１７）。
【００４６】
なお、方向補正が不要な場合（ステップＳ３１５”ＮＯ”）、すなわち、前回入力時のスワイプと逆方向のスワイプを検出すると、その逆方向のスワイプを有効とし、その入力情報を主制御部２０に転送する。これを受けて主制御部２０は、表示モード２を実行することなく、認識されたスワイプの方向に応じて定義された機能を実行する。すなわち、制御部１５は、第１の所定の操作に対応するスワイプの方向と第２の所定の操作に対応するスワイプの方向とが逆の場合に、第２の所定の操作に対応するスワイプを有効とする。
【００４７】
（実施形態の効果）
以上説明のように本実施形態の入力装置１０によれば、押圧スイッチ１１の上にタッチセンサ１２を実装することで、押圧スイッチ１１とタッチセンサ１２のジェスチャのそれぞれに割り当てられた機能を実行することができ、アプリケーションに応じた使い勝手の良い入力装置１０を提供することができる。また、押圧スイッチ１１は、例えば、エンターキー、上下左右の４方向キーに相当する複数のスイッチからなり、これら複数のスイッチの上にタッチセンサ１２が実装されるため、例えば、先に上方向キーに相当するスイッチが押下され、次に下方向キーに相当するスイッチが押下された場合に、誤ってスワイプと認識されることを回避することができる。
【００４８】
また、制御部１５は、第１の所定の操作を検知してから所定の時間内に第１の所定の操作とは異なる第２の所定の操作が検知された場合であっても第２の所定の操作を第１の所定の操作であると認識する。したがって、例えば、ある方向へのスワイプが検出されてから基準時間内に、ある方向とは異なる方向へのスワイプが検出されても、その異なる方向へのスワイプは、ある方向へのスワイプであると認識することにより、連続操作中の指のぶれによる操作者の意図と異なる入力を防止することができ、使い勝手が向上する。
【００４９】
また、本実施形態の入力装置１０によれば、制御部１５は、第２の所定の操作が検出されたときに表示装置４０に表示させる表示形態を、第１の所定の操作が検出されたときとは別の表示形態で表示させる。したがって、定義により、例えば、１回のスワイプでモード１によるページ送り表示を、スワイプの連打または強いスワイプでモード２による頭文字サーチによるページ送り表示を行うことができ、アプリケーションに応じた多彩な表示形態を実現可能である。
【００５０】
また、本実施形態の入力装置１０によれば、制御部１５は、第１の所定の操作に対応するスワイプの方向と第２の所定の操作に対応するスワイプの方向とが逆の場合に、第２の所定の操作に対応するスワイプを有効とする。このため、例えば、敢えて逆方向にスワイプすることで、先のスワイプによる動作を無効にすることができ、使い勝手が向上する。なお、制御部１５は、第１の所定の操作が検出されたときの第１の時刻と第２の時刻との差に基づき、所定の時間を調整する。したがって、操作者毎にカスタマイズされた最適な基準時間の設定が可能であり、使い勝手が向上する。
【００５１】
なお、本実施形態の入力装置１０は、制御部１５が１チップマイコンで構成され、入力装置１０に内蔵され、カーナビゲーション装置４の主制御部２０とはプロセッサ間通信で有線で入力情報を転送するものとして説明したが、有線ではなく無線により入力情報を転送しても良い。この場合、カーナビゲーション装置４との接続のためのハーネスを不要にするためコンパクトな実装が可能になる。また、入力装置１０が持つ制御部１５の機能を、例えば、カーナビゲーション装置４の主制御部２０で代替してもよく、この場合、入力装置１０を安価に製造することができる。
【００５２】
また、本実施形態の入力装置１０によれば、報知部は、タッチセンサ１２内部に実装されるＬＥＤ等の光源として説明したが、光源による表示のみならず、例えば、カーナビゲーション装置４が有するスピーカから出力される音で報知してもよい。なお、本実施形態の入力装置１０は、カーナビゲーション装置４のリモコンとして使用することで特に顕著な効果が得られる。例えは、図１に示すように、ドライバがステアリングハンドル２を握った状態で親指で操作可能なスポーク部３に配置された場合に顕著な効果が得られる。すなわち、本実施形態の入力装置１０により、ドライバによる視線移動を抑制しながら直感的な操作が可能であり、かつ、タッチセンサ１２に対するジェスチャ操作のみならずタッチセンサ１２と一体化された押圧スイッチ１１も活用することで使い勝手の良い入力装置１０を提供することができる。
【００５３】
なお、本実施形態の入力装置１０は、車両１に搭載される、カーナビゲーション装置４のリモコンとして適用されるものとして説明したが、メータへの適用も可能であり、また、車両に限らず、ＰＣ（Personal Computer）を含む携帯情報機器の入力装置１０としての適用も可能である。この場合、タッチセンサ１２のスワイプを含むジェスチャは親指に限らず他の指で操作しても良い。
【符号の説明】
【００５４】
１…車両、２…ステアリングハンドル、４…カーナビゲーション装置、１０…入力装置、１１…押圧スイッチ、１２…タッチセンサ（１２１，１２４…透明電極シート、１２２…誘電体層、１２２…光源（報知部））、１３…第１の検出部、１４…第２の検出部（検出部）、１５…制御部、２０…主制御部、３０…記憶部、４０…表示部、５０…システムバス
【図１】
2015035136.tif 000003
【図２】
2015035136.tif 000004
【図３】
2015035136.tif 000005
【図４】
2015035136.tif 000006
【図５】
2015035136.tif 000007
【図６】
2015035136.tif 000008
【図７】
2015035136.tif 000009
【図８】
2015035136.tif 000010